(57)【要約】      （修正有）【課題】アーチパイプ間の計測をしたり、地面との垂直性を計測したり、あるいは、パイプ間の間隔の計測ミスによってハウス全体の歪みが生じたりすることのない農業用アーチパイプハウスを提供する。【解決手段】６本の逆Ｕ字形状の農業用アーチパイプを相互に固定し、平面視でハニカムコア型に組み立てる。アーチパイプ間の間隔を測定することなく接続でき、アーチパイプを地面に埋め込まずに組み立てることが可能になる。従来必要であった直管パイプによるアーチパイプの固定も不要、かつアーチパイプの衝撃吸収作用を備える。【選択図】図２
0003202795.tif 000002
【実用新案登録請求の範囲】
【請求項１】
農業用アーチパイプを平面展開的にハニカムコア型に組立てることを特徴とする。
【考案の詳細な説明】
【技術分野】
【０００１】
本考案は、既製品農業用アーチパイプハウスの容易で安価な組み立て方法に関するものである。
【背景技術】
【０００２】
農業用ハウスの中でアーチパイプハウスは、建築許可などを問わず、農家自身で組み立てる事ができる利点があるので、簡易型農業用ハウスとして実用化されている。
農業用簡易型アーチパイプハウスは、冬期の野菜づくりなど、台風の襲来がない時期に使用するものである。沖縄の冬期は、気温的には葉野菜類や果菜類、根菜類などが、生育適温となるため、雨よけのビニール被覆で機能性としては十分である。
【０００３】
しかし、簡易型パイプハウスを組み立てるときには、アーチ型パイプを平行に設置し、並べていく作業中に縦方向に歪みを生じにくくするため、パイプとパイプの間の間隔を均一に計測する必要がある。図１は、農業用アーチパイプの位置関係を示したものであり、１は先頭のアーチパイプ、２は２番目以降のアーチパイプを表す。また、アーチパイプが地面に対する高さを表し、矢印はアーチパイプの垂直方向を示している。このようにアーチパイプの高さと設置する地面が並行になるので、地面の水平性とパイプハウスの垂直性、さらにパイプハウス同士の間隔の統一性を安易に維持する事ができないという欠点があった。
【０００４】
一般農家がパイプハウスの組立作業において、この欠点は簡易性に関して大きな障害である。具体的には、アーチパイプ間の計測をしたり、地面との垂直性を計測したり、あるいは、パイプ間の間隔の計測ミスによってハウス全体の歪みが生じたりするなどの問題があった。
【０００５】
この改善策として、ハニカムコアの衝撃吸収作用を利用し農業用アーチパイプハウスを組立てる方法がある。図２はこの方法による農業用アーチパイプハウスの実用形態を示すための説明図であって、東西南北方向に対して全方位的な平面図である。図２で、３は２次元イメージ、４は３次元イメージ、５はビニール被覆時のイメージである。しかしながらこの方法でも、アーチパイプの地面からの高さを揃えるため無視できないパイプ接地面の埋設深さ（図２のＷ）を調整する必要がある。アーチパイプをハニカムコア型に設置してＰ点を上下方向に移動し、アーチパイプの最上部（図２のＱ点）と地面の距離を計測して、ハウスの高さを調節する事は必要となる。レーザー測量機などでハウス最上部の高さを均一化する方法もあるが、地面の傾斜に合わせてハウスの最上部が傾斜していく調整も必要になる。
【先行技術文献】
【非特許文献】
【０００６】
【非特許文献１】先端材料技術協会  佐藤孝  「ハニカム構造材料の応用技術」  １９９５年
【考案の概要】
【考案が解決しようとする課題】
【０００７】
解決しようとする問題点は、農業用アーチパイプハウスを手作りで組み立てる方法において障害となる、煩雑なパイプ間隔の計測を省略できない点である。
【課題を解決するための手段】
【０００８】
本考案は、既製品のアーチパイプまたはその組立法をハニカムコア型とするため、組立作業に必要な煩雑な計測作業を省くことができることを最も主要な特徴とする。
【考案の効果】
【０００９】
本考案のパイプハウス組立法は、既製品のアーチパイプを３次元ハニカムコア型に組み立てるため、アーチパイプ間の間隔すなわち設置位置を計測することなく、直接あるいは近傍で常に目視確認できるので、組立位置の相対的条件や地面の傾斜に応じてアーチパイプの両端部を隣のアーチパイプに直接固定できるという利点がある。
【図面の簡単な説明】
【００１０】
【図１】図１は従来の農業用アーチパイプを組立てる場合のパイプ位置関係を示した説明図である。（実施例１）
【図２】図２は農業用アーチパイプをハニカムコア型に組立てる実施方法を示した説明図である。（実施例２）
【考案を実施するための形態】
【００１１】
アーチパイプ側端部に近い位置から隣のアーチパイプを固定するという作業を、最小の部品で、農業用パイプハウスの強度を損なわずに実現した。
【実施例１】
【００１２】
図２は、本考案組立ての実施例の平面図、正面図、側面図であって、１〜６は、アーチパイプである。また、７は地面、８は固定部品、９は被覆資材である。
【００１３】
アーチパイプは接合位置Ｐ線を常に固定しており、ハニカム型の接続制御によって計測を必要としない隣接するアーチパイプの固定ができる。本考案の主体はアーチパイプの接続方法にあるので、強度計算の説明は省略する。
【００１４】
一般にハニカム構造は、同じ面積の平面ハニカム充填で周の長さが最も少なく、衝撃を吸収するということが数学的にすでにわかっている。
【００１５】
上記のハニカム構造は正６角形となり、平面充填において、正６角形の辺の上にアーチパイプを配置することで、それぞれのアーチパイプの固定がその両側のアーチパイプに直接固定することで、同じ面積に配置するアーチパイプを最小限の数量で連結することができる。
【実施例２】
【００１６】
図１の実施例は、アーチパイプが水平方向の力を受けたときに、アーチパイプにかかる力が分散されず、アーチパイプが倒れることを防ぐには、隣接するアーチパイプをつなぐ直管パイプを必要とする。
【００１７】
ハニカムコア型に比べ、図１のアーチパイプの並行設置作成法は、アーチパイプを支える直管パイプをアーチパイプと垂直に設置して、アーチパイプの固定を行う必要がある。従って、同面積にパイプハウスを作成する際の作業時間がパイプの数が増える事に増加し、材料費も増えることになる。さらに、アーチパイプを平行に並べることで、アーチパイプの設置間隔と高さを一定に保つ必要があり、その測量作業が作業時間を延長させる。
【実施例３】
【００１８】
図２の実施例は、アーチパイプをハニカム形状に組み立てることで、アーチパイプの両端を隣のアーチパイプに固定できるようになり、ハニカム構造の特徴により同じ面積に平面充填配置したアーチパイプが固定されて連結できるようになる。水平方向から力がかかったときには、両隣のアーチパイプに負荷が分散され、アーチパイプは倒れることなく、従来のパイプハウスに比べて、アーチパイプを固定するパイプが不要となるので、組立作業が減少し、さらに従来のアーチパイプの配置間隔と高さを計測する必要がないので、さらに組立作業が減少し、コスト削減に大いに役立つ。
【産業上の利用可能性】
【００１９】
既製品のアーチパイプを用いてハニカム形状に組み立たてることで、従来の農業用パイプハウスの組立に比べて低コストで作業的にも容易に農業用パイプハウスの組立てができ、アーチパイプに防虫ネットを取付けることによって、病害虫の侵入を防ぐことができる。また、アーチパイプの上部に雨よけビニールを取り付けることによって、農作物の品質向上に効果がある。
【符号の説明】
【００２０】
１〜６  アーチパイプ配置
７    地面
８    アーチパイプ固定部品
９    被覆資材
P    ハニカム構造のアーチパイプ接合線
【図１】
0003202795.tif 000003
【図２】
0003202795.tif 000004
【手続補正書】
【提出日】平成27年11月2日(2015.11.2)
【手続補正１】
【補正対象書類名】明細書
【補正対象項目名】０００５
【補正方法】変更
【補正の内容】
【０００５】
この改善策として、ハニカムコアの衝撃吸収作用を利用し農業用アーチパイプハウスを組立てる方法がある。
【手続補正書】
【提出日】平成27年12月24日(2015.12.24)
【手続補正１】
【補正対象書類名】実用新案登録請求の範囲
【補正対象項目名】全文
【補正方法】変更
【補正の内容】
【実用新案登録請求の範囲】
【請求項１】
６本の農業用アーチパイプを相互に固定し、平面視でハニカムコア型に組み立てた農業用アーチパイプハウス